【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
式Ｉ：
【化１】
2006524281.tif 000001
〔式中、
Ｒ1及びＲ2は、同一又は異なっていてよく、フッ素、塩素又は臭素で置換されていることができるＣ1〜Ｃ25アルキル基、Ｃ1〜Ｃ4アルキルで１〜３回置換されていることができるアリル基、シクロアルキル基、Ｃ1〜Ｃ4アルキル、ハロゲン、ニトロ又はシアノで１〜３回置換されていることができるフェニルにより１又は２回縮合されていることができるシクロアルキル基、アルケニル基、シクロアルケニル基、アルキニル基、ハロアルキル基、ハロアルケニル基、ハロアルキニル基、ケトン若しくはアルデヒド基、エステル基、カルバモイル基、ケトン基、シリル基、シロキサニル基、Ａ3又は−ＣＲ3Ｒ4−（ＣＨ2）m−Ａ3から選択され、ここで、
Ｒ3及びＲ4は、互いに独立して、水素若しくはＣ1〜Ｃ4アルキル又はＣ1〜Ｃ4アルキルで１〜３回置換されていることができるフェニルを表し、
Ａ3は、アリール又はヘテロアリール、特にＣ1〜Ｃ8アルキル及び／又はＣ1〜Ｃ8アルコキシで１〜３回置換されていることができるフェニル又は１−若しくは２−ナフチルを表し、そしてｍは、０、１、２、３又は４を表し、
Ａ1及びＡ2は、互いに独立して、基
【化３】
2006524281.tif 000002
であるか、又は
Ａ1及びＡ2は、互いに独立して、下記
【化４】
2006524281.tif 000003
の基であり、
ここで、
Ｒ5、Ｒ6及びＲ7は、同一又は異なっていてよく、水素原子、Ｃ1〜Ｃ25アルキル基、シクロアルキル基、アラルキル基、アルケニル基、シクロアルケニル基、アルキニル基、ヒドロキシル基、メルカプト基、アルコキシ基、アルキルチオ基、アリールエーテル基、アリールチオエーテル基、アリール基、複素環基、ハロゲン原子、ハロアルキル基、ハロアルケニル基、ハロアルキニル基、シアノ基、アルデヒド基、カルボキシル基、エステル基、カルバモイル基、ニトロ基、シリル基、シロキサニル基、置換若しくは非置換ビニル基、基ＮＲ8Ｒ9から選択され、ここでＲ8及びＲ9は、互いに独立して、水素原子、アルキル基、シクロアルキル基、アリール基、ヘテロアリール基、複素環基、アラルキル基を表すか、又はＲ8及びＲ9は、それらが結合している窒素原子と一緒になって、１又は２個の場合により置換されているフェニル基により縮合されていることができる５員又は６員複素環を形成するか、或いはＲ5〜Ｒ7のうちの少なくとも２つの隣接する置換基が、芳香族又は脂肪族縮合環系を形成し、そして
Ｘ1は、水素原子、Ｃ1〜Ｃ25アルキル基、シクロアルキル基、アラルキル基、アリール基又は複素環基であり、ここで基Ｒ5、Ｒ6及びＲ7のうちの少なくとも１つは、Ａ1及びＡ2が、窒素、酸素及び硫黄から選択される１個のヘテロ原子を含有する単独の５員又は６員複素環である場合は、水素原子と異なる（但し、下記
【化５】
2006524281.tif 000004
の化合物は除外される）〕で示される蛍光ジケトピロロピロール。
【請求項２】
Ｒ1及びＲ2が、互いに独立して、Ｃ1〜Ｃ8アルキル、Ｃ1〜Ｃ8アルキル及び／又はＣ1〜Ｃ8アルコキシで１〜３回置換されていることができるＣ5〜Ｃ12シクロアルキル、或いはＣ1〜Ｃ4アルキル、ハロゲン、ニトロ又はシアノによるか、Ｃ1〜Ｃ8アルキル及び／若しくはＣ1〜Ｃ8アルコキシで１〜３回置換されていることができるフェニル又は１−若しくは２−ナフチルにより、１〜３回置換されていることができるフェニルで１又は２回縮合されていることができるＣ5〜Ｃ12シクロアルキル、或いは−ＣＲ3Ｒ4−（ＣＨ2）m−Ａ3から選択され、ここで、Ｒ3及びＲ4は、水素を表し、Ａ3は、Ｃ1〜Ｃ8アルキル及び／又はＣ1〜Ｃ8アルコキシで１〜３回置換されていることができるフェニル又は１−若しくは２−ナフチルを表し、そしてｍは、０又は１を表す、請求項１記載の蛍光ジケトピロロピロール。
【請求項３】
Ａ１及びＡ2が、互いに独立して、下記
【化６】
2006524281.tif 000005
から選択され、
ここでＲ5は、水素原子、Ｃ1〜Ｃ12アルキル基、Ｃ1〜Ｃ8アルコキシ基、下記式
【化７】
2006524281.tif 000006
の基、
又は基−ＮＲ8Ｒ9であり、ここでＲ8及びＲ9は、互いに独立して、Ｃ1〜Ｃ8アルキル基、Ａ1、例えば下記
【化８】
2006524281.tif 000007
を表すか、
或いは
Ｒ8及びＲ9は、それらが結合している窒素原子と一緒になって、１又は２個の場合により置換されているフェニル基で縮合されていることができる５員又は６員複素環、例えば下記
【化９】
2006524281.tif 000008
を形成し、
ここで、Ｒ15、Ｒ16及びＲ17は、互いに独立して、水素、Ｃ1〜Ｃ8アルキル、Ｃ1〜Ｃ8アルコキシ又はフェニルを表し、Ｒ5′は、水素を除くＲ5であり、Ｒ5″及びＲ6″は、互いに独立して、水素、Ｃ1〜Ｃ8アルキル又はＣ1〜Ｃ8アルコキシを表し、そして
Ｘ1は、水素又はＣ1〜Ｃ8アルキルを表す、
請求項１記載の蛍光ジケトピロロピロール。
【請求項４】
下記：
【化１０】
2006524281.tif 000009
2006524281.tif 000010
〔式中、
Ｒ1及びＲ2は、互いに独立して、Ｃ1〜Ｃ12アルキル基、１〜３個のＣ1〜Ｃ8アルキル若しくはＣ1〜Ｃ8アルコキシ基で場合により置換されていることができるＣ5〜Ｃ7シクロアルキル基、Ｃ1〜Ｃ8アルキル及び／若しくはＣ1〜Ｃ8アルコキシで１〜３回置換されていることができるか、又は場合により置換されているフェニルで１若しくは２回縮合されていることができるＣ5〜Ｃ7シクロアルキル基、或いは１〜３個のＣ1〜Ｃ8アルキル若しくはＣ1〜Ｃ8アルコキシ基で場合により置換されていることができるＣ7〜Ｃ14アラルキル基であり、そしてＲ15及びＲ16は、水素、Ｃ1〜Ｃ8アルキル、Ｃ1〜Ｃ8アルコキシ又はフェニルを表す〕
で示される請求項３記載の蛍光ジケトピロロピロール。
【請求項５】
ゲスト発色団とホスト発色団を含む組成物であって、ゲスト発色団の吸収スペクトルがホスト発色団の蛍光発光スペクトルと重複し、ホスト発色団が、５００〜７２０nmでフォトルミネセンス発光ピークを有するジケトピロロピロールであり、ホスト発色団及び／又はゲスト発色団が、請求項１〜４のいずれか１項に記載の式Ｉのジケトピロロピロールである組成物。
【請求項６】
ゲスト発色団とホスト発色団を含む組成物であって、ゲスト発色団の吸収スペクトルがホスト発色団の蛍光発光スペクトルと重複し、ホスト発色団が、５００〜７２０nmでフォトルミネセンス発光ピークを有するジケトピロロピロールであり、ゲスト発色団が、請求項１〜５のいずれか１項に記載の式Ｉのジケトピロロピロールである組成物。
【請求項７】
ホスト発色団が、式II：
【化１１】
2006524281.tif 000011
〔式中、Ｒ13及びＲ14は、互いに独立して、フッ素、塩素若しくは臭素で置換されていることができるＣ1〜Ｃ25アルキル、Ｃ5〜Ｃ12シクロアルキル、又はＣ1〜Ｃ4アルキル、ハロゲン、ニトロ若しくはシアノで１〜３回置換されていることができるフェニルにより１又は２回縮合されていることができるＣ5〜Ｃ12シクロアルキル、シリル、Ａ6又は−ＣＲ11Ｒ12−（ＣＨ2）m−Ａ6を表し、ここでＲ11及びＲ12は、互いに独立して、水素、フッ素、塩素、臭素、シアノ、又はフッ素、塩素若しくは臭素で置換されていることができるＣ1〜Ｃ4アルキル、又はＣ1〜Ｃ4アルキルで１〜３回置換されていることができるフェニルを表し、Ａ6は、Ｃ1〜Ｃ8アルキル、Ｃ1〜Ｃ8アルコキシ、ハロゲン、ニトロ、シアノにより、Ｃ1〜Ｃ8アルキル若しくはＣ1〜Ｃ8アルコキシで１〜３回置換されていることができるフェニルにより、１〜３回置換されていることができるフェニル又は１−若しくは２−ナフチルか、−ＮＲ23Ｒ24を表し、ここでＲ23及びＲ24は、水素、Ｃ1〜Ｃ25アルキル、Ｃ5〜Ｃ12シクロアルキル又はＣ1〜Ｃ8アルキル、Ｃ1〜Ｃ8アルコキシ、ハロゲン若しくはシアノで１〜３回置換されていることができるＣ6〜Ｃ24アリールを表し、又はＣ1〜Ｃ8アルキル若しくはＣ1〜Ｃ8アルコキシで１〜３回置換されていることができるフェニルを表し、そしてｍは、０、１、２、３又は４を表し、
Ａ4及びＡ5は、互いに独立して、下記
【化１２】
2006524281.tif 000012
を表し、
ここで、Ｒ25、Ｒ26、Ｒ27は、互いに独立して、水素、Ｃ1〜Ｃ25アルキル、−ＣＲ11Ｒ12−（ＣＨ2）m−Ａ6、シアノ、ハロゲン、−ＯＲ29、−Ｓ（Ｏ）pＲ30、又はＣ1〜Ｃ8アルキル若しくはＣ1〜Ｃ8アルコキシで１〜３回置換されていることができるフェニルを表し、ここでＲ29は、Ｃ1〜Ｃ25アルキル、Ｃ5〜Ｃ12シクロアルキル、−ＣＲ11Ｒ12−（ＣＨ2）m−Ｐｈ、Ｃ6〜Ｃ24アリール、又は５〜７個の環原子を含む飽和若しくは不飽和の複素環基を表し、ここで環は、炭素原子と、窒素、酸素及び硫黄からなる群より選択される１〜３個のヘテロ原子とからなり、Ｒ30は、Ｃ1〜Ｃ25アルキル、Ｃ5〜Ｃ12シクロアルキル、−ＣＲ11Ｒ12−（ＣＨ2）m−Ｐｈを表し、Ｒ28は、Ｃ2〜Ｃ20ヘテロアリール又はＣ6〜Ｃ24アリールを表し、ｐは、０、１、２又は３を表し、ｍ及びｎは、０、１、２、３又は４を表す〕
で表されるジケトピロロピロール（「ＤＰＰ」）である、請求項６記載の組成物。
【請求項８】
請求項１〜４のいずれか１項に記載の蛍光ジケトピロロピロール又は請求項５〜７のいずれか１項に記載の組成物を含むＥＬデバイス。
【請求項９】
式III：
【化１４】
2006524281.tif 000013
〔式中、
Ｒ21及びＲ22は、同一又は異なっていてよく、Ｃ1〜Ｃ25アルキル基、Ｃ1〜Ｃ4アルキルで１〜３回置換されていることができるアリル基、シクロアルキル基、Ｃ1〜Ｃ4アルキル、ハロゲン、ニトロ又はシアノで１〜３回置換されていることができるフェニルにより１又は２回縮合されていることができるシクロアルキル基、アルケニル基、シクロアルケニル基、アルキニル基、ハロアルキル基、ハロアルケニル基、ハロアルキニル基、ケトン若しくはアルデヒド基、エステル基、カルバモイル基、ケトン基、シリル基、シロキサニル基、Ａ3又は−ＣＲ3Ｒ4−（ＣＨ2）m−Ａ3から選択され、ここで、
Ｒ3及びＲ4は、互いに独立して、水素又はＣ1〜Ｃ4アルキル或いはＣ1〜Ｃ4アルキルで１〜３回置換されていることができるフェニルを表し、
Ａ3は、アリール又はヘテロアリール、特にＣ1〜Ｃ8アルキル及び／又はＣ1〜Ｃ8アルコキシで１〜３回置換されていることができるフェニル又は１−若しくは２−ナフチルを表し、そしてｍは、０、１、２、３又は４を表し、
Ａ7及びＡ8は、互いに独立して、下記
【化１５】
2006524281.tif 000014
から選択されるか、又、
Ａ1及びＡ2は、互いに独立して、下記
【化１６】
2006524281.tif 000015
の基であり、
ここで、Ｒ5、Ｒ6及びＲ7のうちの１つは、塩素原子、臭素原子又はヨウ素原子のようなハロゲン原子であり、他は、請求項１で記載されたとおりであり、そしてＸ1は、請求項１で記載されたとおりである〕
で示されるジケトピロロピロール。
【請求項１０】
（ａ）着色高分子量有機材料の総重量に基づいて０．０１〜５０重量％の、請求項１〜４のいずれか１項に記載の蛍光ジケトピロロピロール又は請求項５〜７のいずれか１項に記載の組成物、
（ｂ）着色された高分子量有機材料の総重量に基づいて９９．９９〜５０重量％の高分子有機材料、及び
（ｃ）所望であれば、有効量の慣用の添加剤を含む組成物。
【請求項１１】
色変化媒体における、固体色素レーザーにおける、ＥＬレーザーにおける、及びＥＬデバイスにおける蛍光トレーサーとして、高分子量有機物質を着色するための、請求項１〜４のいずれか１項に記載の蛍光ジケトピロロピロール又は請求項５〜７のいずれか１項に記載の組成物の使用。